(57)【特許請求の範囲】
【請求項１】
被取付具に対して上方から差し込まれ被取付具に係止する係止体、及び前記被取付具に押付けるパッドを有し前記パッドと前記係止体とで被取付具を挟み込む締付具を有する固定具と、
前記固定具に取付けられ、工具を固定し支持する工具支持具と、を備え、
前記締付具は、前記パッドの前記係止体に対する取付け高さを可変可能に前記係止体に取付けられていることを特徴とする工具固定具。
【請求項２】
前記締付具は、前記パッドを先端部に連結し前記パッドを進退させる進退具と、
前記進退具を進退自在に支持する進退具支持体と、
前記進退具支持体の高さ方向のずれを防止するずれ防止体と、を備え、
前記進退具支持体と前記ずれ防止体との配置を変更することで前記パッドの前記係止体に対する取付け高さを変更可能なことを特徴とする請求項１に記載の工具固定具。
【請求項３】
前記締付具は、前記進退具支持体及び前記ずれ防止体を前記係止体に取付ける取付けねじを有し、
前記進退具支持体及び前記ずれ防止体は、前記取付けねじが嵌る長穴及び／又は端面が開口した取付孔を有し、
前記進退具支持体及び前記ずれ防止体は、前記取付けねじを介して前記係止体に取付けられていることを特徴とする請求項２に記載の工具固定具。
【請求項４】
前記進退具支持体及び前記ずれ防止体は、前記取付けねじにより前記係止体に対し移動が規制された状態で取付けられており、
前記ずれ防止体は、前記取付けねじを取外すことなく前記係止体に着脱可能であり、
前記進退具支持体は、前記ずれ防止体を取外した状態で、前記取付けねじを取外すことなく、前記係止体に対しスライド可能なことを特徴とする請求項３に記載の工具固定具。
【請求項５】
前記被取付具が、上部に鍔部のある高所作業車のバケット及び／又は電柱に装柱された腕金であることを特徴とする請求項１から４のいずれか１項に記載の工具固定具。
【請求項６】
前記工具固定具が、間接活線工具である絶縁棒を固定し支持する絶縁棒支持具であることを特徴とする請求項１から５のいずれか１項に記載の工具固定具。
【発明の詳細な説明】
【技術分野】
【０００１】
本発明は、間接活線工具等を高所作業車のバケット等に取付け固定するための工具固定具に関する。
【背景技術】
【０００２】
高圧配電線における活線作業の間接活線工法に使用する間接活線工具の絶縁棒を支持する工具に、高所作業車のバケットに固定して使用する絶縁棒支持具がある（例えば特許文献１参照）。図１０及び図１１に高所作業車のバケット１０１に固定した従来の絶縁棒支持具２０１を示した。
【０００３】
絶縁棒支持具２０１は、高所作業車のバケット１０１に取付け固定するための固定具２０２と、固定具２０２の上方に設けられ、絶縁棒を支持する支持具８０とを有する。支持具８０は、ボールジョイント８７を有し、ボールジョイント８７に絶縁棒を把持する把持部９１が設けられている。このため絶縁棒を、任意の方向に固定することができる。
【０００４】
固定具２０２は、転倒コ字状の一対のバケット固定枠２０３と、進退自在なスクリュー軸３３の先端部に取付けられたパット３２とを有する。バケット固定枠２０３を高所作業車のバケット１０１の周壁面１０３に対して上方から差し込み、パッド３２をバケット１０１の周壁面１０３に押し付けることで、高所作業車のバケット１０１に絶縁棒支持具２０１を固定することができる。バケット固定枠２０３及びパッド３２は、バケット１０１の周壁面１０３に全面が接触するので、堅固に固定することができる。
【先行技術文献】
【特許文献】
【０００５】
【特許文献１】特開２０００−３２４６３５号公報
【発明の概要】
【発明が解決しようとする課題】
【０００６】
従来の絶縁棒支持具２０１は、高所作業車のバケット１０１に取付け使用することが前提とされ、構造もそれを前提とした構造となっているため、他の場所に取付け使用することが難しい。例えば、バケット固定枠２０３の開口部の大きさ（図１２のＬ７）は、通常７６ｍｍであり、電線を支持する碍子を固定する腕金は７５ｍｍ□であるから、寸法的には、腕金に取付けて使用することができる。しかしながらパッド３２が、バケット１０１の周壁面上端に設けられた鍔部１０２を回避する位置に設けられていることから、腕金１５１に取付けると図１２に示すように、パッド３２が腕金１５１に正対せず、堅固に固定することができない。
【０００７】
絶縁棒支持具は、絶縁棒を任意の方向に固定することができる優れた支持具であるから、高所作業車のバケットのみならず腕金、機械、器具、工具などの被取付具に取付け使用することが期待されている。また上記絶縁棒支持具の問題は、絶縁棒支持具のみならず他の工具においても生じ得る問題である。
【０００８】
本発明の目的は、異なる形態の被取付具に対しても堅固に固定することができる工具固定具を提供することである。
【課題を解決するための手段】
【０００９】
本発明は、被取付具に対して上方から差し込まれ被取付具に係止する係止体、及び前記被取付具に押付けるパッドを有し前記パッドと前記係止体とで被取付具を挟み込む締付具を有する固定具と、前記固定具に取付けられ、工具を固定し支持する工具支持具と、を備え、前記締付具は、前記パッドの前記係止体に対する取付け高さを可変可能に前記係止体に取付けられていることを特徴とする工具固定具である。
【００１０】
本発明によれば、パッドと係止体とで被取付具を挟み込む締付具は、パッドの係止体に対する取付け高さが可変可能なため異なる形態の被取付具に固定し使用することができる。例えば高所作業車のバケットのように上部に鍔がある被取付具であれば、鍔部をかわすようにパッドの位置を下げて使用すればよく、一方、腕金に固定するような場合には、パッドの位置を上げて使用すればよい。以上のように被取付具の形態に応じてパッドの位置を変更することができるので、被取付具に対して堅固に固定することができる。
【００１１】
本発明において、前記締付具は、前記パッドを先端部に連結し前記パッドを進退させる進退具と、前記進退具を進退自在に支持する進退具支持体と、前記進退具支持体の高さ方向のずれを防止するずれ防止体と、を備え、前記進退具支持体と前記ずれ防止体との配置を変更することで前記パッドの前記係止体に対する取付け高さを変更可能なことを特徴とする。
【００１２】
本発明によれば、パッドを進退自在に支持する進退具支持体とずれ防止体との配置を変更することでパッドの係止体に対する取付け高さを変更可能なため、簡単にかつ確実にパッドの位置を変更することができる。
【００１３】
また本発明において、前記締付具は、前記進退具支持体及び前記ずれ防止体を前記係止体に取付ける取付けねじを有し、前記進退具支持体及び前記ずれ防止体は、前記取付けねじが嵌る長穴及び／又は端面が開口した取付孔を有し、前記進退具支持体及び前記ずれ防止体は、前記取付けねじを介して前記係止体に取付けられていることを特徴とする。
【００１４】
本発明によれば、パッドを進退自在に支持する進退具支持体及びずれ防止体は、長穴及び／又は端面が開口した取付孔を有し、当該長穴及び／又は取付孔に取付けねじを取付け、係止体に取付けられているので、進退具支持体とずれ防止体との配置を容易に変更することができる。
【００１５】
また本発明において、前記進退具支持体及び前記ずれ防止体は、前記取付けねじにより前記係止体に対し移動が規制された状態で取付けられており、前記ずれ防止体は、前記取付けねじを取外すことなく前記係止体に着脱可能であり、前記進退具支持体は、前記ずれ防止体を取外した状態で、前記取付けねじを取外すことなく、前記係止体に対しスライド可能なことを特徴とする。
【００１６】
本発明によれば、進退具支持体及びずれ防止体は、係止体に対し、取付けねじにより完全に固定されておらず移動が規制された状態で取付けられており、取付けねじを取外すことなく進退具支持体をスライドさせることが可能で、さらに取付けねじを取外すことなくずれ防止体を着脱可能なため、容易にパッドの係止体に対する取付け高さを変更することができる。パッドの係止体に対する取付け高さを変更する際に、取付けねじを取外す必要がないので作業性に優れ、使い勝手が非常によい。
【００１７】
また本発明において、前記被取付具が、上部に鍔部のある高所作業車のバケット及び／又は電柱に装柱された腕金であることを特徴とする。
【００１８】
本発明の工具固定具は、パッドの係止体に対する取付け高さが可変可能なため、１つの工具固定具を上部に鍔部のある高所作業車のバケット、及び電柱に装柱された腕金に固定し使用することができる。
【００１９】
また本発明において、前記工具固定具が、間接活線工具である絶縁棒を固定し支持する絶縁棒支持具であることを特徴とする。
【００２０】
本発明によれば、本発明の工具固定具を間接活線工具である絶縁棒を固定し支持する絶縁棒支持具に好適に使用することができる。
【発明の効果】
【００２１】
本発明によれば、異なる形態の被取付具に対しても堅固に固定することができる工具固定具を提供することができる。
【図面の簡単な説明】
【００２２】
【図１】本発明の第１実施形態の絶縁棒支持具１を高所作業車のバケット１０１に取付けた正面図である。
【図２】本発明の第１実施形態の絶縁棒支持具１を高所作業車のバケット１０１に取付けた側面図である。
【図３】本発明の第１実施形態の絶縁棒支持具１を腕金１５１に取付けた正面図である。
【図４】本発明の第１実施形態の絶縁棒支持具１を腕金１５１に取付けた側面図である。
【図５】本発明の第１実施形態の絶縁棒支持具１の支持プレート４０の斜視図である。
【図６】本発明の第１実施形態の絶縁棒支持具１の支持プレートずれ防止具５１の斜視図である。
【図７】本発明の第１実施形態の絶縁棒支持具１の取付けボルト６５の構成図である。
【図８】本発明の第１実施形態の絶縁棒支持具１の支持プレート４０の位置の変更要領を説明するための図である。
【図９】本発明の第１実施形態の絶縁棒支持具１の支持プレートの変形例である。
【図１０】従来の絶縁棒支持具２０１を高所作業車のバケット１０１に固定した状態を示す斜視図である。
【図１１】従来の絶縁棒支持具２０１を高所作業車のバケット１０１に固定した状態を示す側面図である。
【図１２】従来の絶縁棒支持具２０１を腕金１５１に固定した状態を示す側面図である。
【発明を実施するための形態】
【００２３】
図１及び図２は、本発明の第１実施形態の絶縁棒支持具１を高所作業車のバケット１０１に取付けた正面図及び側面図、図３及び図４は、本発明の第１実施形態の絶縁棒支持具１を腕金１５１に取付けた正面図及び側面図である。図５は、絶縁棒支持具１の支持プレート４０の斜視図、図６は、絶縁棒支持具１の支持プレートずれ防止具５１の斜視図である。図７は、絶縁棒支持具１の取付けボルト６５の構成図である。図１０〜図１２に示す従来の絶縁棒支持具２０１と同一の構成には、同一の符号を付す。
【００２４】
絶縁棒支持具１は、高圧配電線における活線作業の間接活線工法に使用する間接活線工具の絶縁棒を支持する工具であって、絶縁棒支持具１を高所作業車のバケット１０１又は電柱に装柱された腕金１５１に取付けるための固定具１１と固定具１１の上方に設けられ、絶縁棒を支持する支持具８０とを有する。固定具１１は、従来の絶縁棒支持具２０１の固定具２０２と異なり本発明の特徴的部分である。一方、支持具８０は、従来の絶縁棒支持具２０１の支持具８０と同じ構成からなる。
【００２５】
支持具８０は、絶縁棒を把持する把持部９１、把持部９１を任意の角度に支持する角度可変部８５、角度可変部８５を支持し固定具１１と連結する取付部８１を有する。
【００２６】
取付部８１は、基台８２と支柱８３とを有し、基台８２は、固定具１１の係止体１２の上面に固定され、基台８２上に支柱８３が立設されている。
【００２７】
角度可変部８５は、ボールジョイント８７及びボールジョイント８７を回転不能に固定する角度調整ハンドル９０を備える雲台８６を有し、雲台８６は、支柱８３に固定されている。ボールジョイント８７は、スタッド付きボール８８と、スタッド付きボール８８のボール部を回転自在に保持するボール受部（図示省略）とを有する。
【００２８】
雲台８６は、スタッド付きボール８８のボール部に押付けスタッド付きボール８８の動きを止める押付部材（図示省略）を内蔵する。押付部材は、角度調整ハンドル９０を回動させることでスタッド付きボール８８のボール部に押付けられ、ボールジョイント８７を回転不能に固定し、又はスタッド付きボール８８のボール部から離れボールジョイント８７を回転自在とする。
【００２９】
把持部９１は、ボールジョイント８７のスタッド８９に連結、固定された固定把持片９２と、絶縁棒固定ハンドル９３と連結し、絶縁棒固定ハンドル９３を回転させることで可動する可動把持片９４とを有し、これらで絶縁棒を挟み込み把持する。
【００３０】
可動把持片９４は、固定把持片９２に穿設された挿通孔（図示省略）に先端部を摺動自在に挿通させたガイドロッド９５を備え、可動把持片９４は、ガイドロッド９５と一体的に上下動する。また可動把持片９４は、ガイドロッド９５に挿通されたスプリング９６により開く方向に付勢されており、絶縁棒固定ハンドル９３をスプリング９６の付勢力に抗して締付方向に回転させることで、可動把持片９４が固定把持片９２に近接し、絶縁棒を堅固に把持することができる。
【００３１】
固定具１１は、バケット１０１又は電柱に装柱された腕金１５１に係止する係止体１２と、係止体１２をバケット１０１又は電柱に装柱された腕金１５１に対してぐら付かないよう固定する締付具３１とを有する。
【００３２】
係止体１２は、肉厚の部材で形成された側面視において転倒コ字形状を有する一対のコ字部材１３を有する。一対のコ字部材１３は、同一の形態からなる。コ字部材１３の前側脚部１４と後側脚部１５とは平行で、これらの間隔Ｌ１は、固定先であるバケット１０１の周壁面上端に設けられた鍔部１０２及び腕金１５１の幅以上に設定されている。
【００３３】
コ字部材１３の前側脚部１４の長さは、少なくともバケット１０１の周壁面上端に設けられた鍔部１０２をかわし、その下方に締付具３１の一部であるパッド３２が位置するように締付具３１を取付けることができ、さらに締付具３１を構成する支持プレート４０及び支持プレートずれ防止板５１を並べて取付け可能な長さを有する。
【００３４】
コ字部材１３の厚さは、絶縁棒を取付けた絶縁棒支持具１を堅固に固定できる強度が必要なことはもちろん、支持プレート４０及び支持プレートずれ防止板５１をコ字部材１３に取付けるための取付けボルト６５を取付け可能な厚さが必要である。
【００３５】
左右一対のコ字部材１３は、連結具を介して所定の間隔で連結されている。連結具は、左右一対のコ字部材の上面１６を連結する板状の連結板２３、左右一対のコ字部材の後側脚部１５の下部及び、左右一対のコ字部材の前側脚部１４の上部をそれぞれ連結する連結棒２５、２６からなる。左右一対のコ字部材の前側脚部１４の上部を連結する連結棒２６は、支持プレート４０及び支持プレートずれ防止板５１の取付けを阻害しない場所に取付けられている。
【００３６】
連結板２３は矩形形状を有し、連結板２３の４角に設けられた貫通孔からコ字部材の上面１６に対してタッピングねじ２４をねじ込み固定されている。支持具の基台８２は、連結板２３を覆うように取付けられている。
【００３７】
連結棒２５、２６は、左右一対のコ字部材１３の間に嵌め込まれる、左右一対のコ字部材１３の間隔を決める円筒状のスリーブ２７を有する。スリーブ２７は、ボルト２８に挿通され、ボルト２８及びナット（図示省略）を介して左右一対のコ字部材１３の間に固定される。
【００３８】
左右一対のコ字部材の前側脚部１４には、後述の支持プレート４０及び支持プレートずれ防止板５１が取付けられ、これらが左右一対のコ字部材１３を連結する役目を果たすので、必要に応じて連結棒２６は省略してもよい。ガイドプレート付きの支持プレート５０を使用する場合も同様である。
【００３９】
また左右一対のコ字部材の前側脚部１４には、支持プレート４０及び支持プレートずれ防止板５１を固定する取付けボルト６５を取付けるためのボルト６７が挿通する貫通孔２０及びナット７１及びワッシャ７０が嵌り込む凹部２１が設けられている。貫通孔２０の一端部は、コ字部材の前面１７に臨み、他端部は凹部２１に連通する。一方、凹部２１の一端部は、コ字部材の前側脚部１４の裏面１８に臨む。
【００４０】
貫通孔２０の直径は、ボルト６７のボルト部の外径よりも僅かに大きく、ボルト６７が挿通するスリーブ６６の外径よりも小さい。一方、凹部２１の直径は、ワッシャ７０の外径とほぼ同じ大きさである。
【００４１】
締付具３１は、バケット１０１又は電柱に装柱された腕金１５１に取付けた絶縁棒支持具１をぐら付かないよう固定するためのものであり、バケット１０１又は腕金１５１に押付けられるパッド３２、パット３２を進退自在に支持するスクリュー軸３３、スクリュー軸３３を係止体１２に対して上下動可能に取付ける支持プレート４０、支持プレート４０のずれを防止する支持プレートずれ防止板５１を有する。
【００４２】
スクリュー軸３３には、先端部にバケット１０１又は腕金１５１に押付けられるパッド３２が、基端部にハンドル３６が取付けられている。スクリュー軸３３は、支持プレート４０に設けられたスクリュー孔３５に螺合し、ハンドル３６を回転させることで先端部に取付けられたパッド３２が前後に移動する。
【００４３】
パッド３２は、先端面が平らな円板状である。パッド３２は、スクリュー軸３３の先端部に、スクリュー軸３３に対して回動自在に固定されている。
【００４４】
支持プレート４０は、矩形形状の肉厚の部材からなり、係止体１２の前面に左右一対のコ字部材１３に掛け渡すように取付けられている。支持プレート４０は、中心部にスクリュー軸３３が螺合するスクリュー孔３５を備え、スクリュー軸３３は、スクリュー孔３５に螺合した状態で支持されている。
【００４５】
支持プレート４０の長さは、係止体１２の幅と同じであり、支持プレート４０は、両サイドに、係止体１２の前面に固定するための取付けボルト６５が挿通する挿通孔を有する。挿通孔は、中央部に穿設された長穴挿通孔４５と、長穴挿通孔４５を挟むように上下に穿設された上挿通孔４６、下挿通孔４８とからなる。上挿通孔４６には、支持プレートの上面４２と連通する溝４７が設けられ、下挿通孔４８も、支持プレートの下面４３と連通する溝４９が設けられている。
【００４６】
長穴挿通孔４５は、両端部に貫通孔を設け、２つ貫通孔を連絡する形で形成されており、両端貫通孔の外径及び中央部の幅は、取付けボルト６５のスリーブ６６の外径よりもほんの僅か大きく設定されている。長穴挿通孔４５の両端部に設けられる貫通孔の中心点を結ぶ長さＬ２は、支持プレートずれ防止板５１の長さＬ５と同一又はそれ以上の長さとなっている。これにより取付けボルト６５を介して、支持プレートずれ防止板５１を支持プレート４０の上部又は下部に取付けることができる。
【００４７】
上挿通孔４６及び下挿通孔４８の外径は、長穴挿通孔４５と同じであり、取付けボルト６５のスリーブ６６の外径よりもほんの僅か大きい。上挿通孔４６につながる溝４７及び下挿通孔４８につながる溝４９の幅は、上挿通孔４６及び下挿通孔４８の外径と同一である。上挿通孔４６の支持プレートの上面４２からの距離Ｌ３及び下挿通孔４８の支持プレートの下面４３からの距離Ｌ４は、支持プレート防止板５１の係止孔５７、５８の支持プレート防止板５１の下面５２からの距離Ｌ６と等しく設定されている。
【００４８】
各挿通孔は、左右の挿通孔の間隔が、係止体１２に固定された左右の取付けボルト６５の間隔と一致するように穿設されており、支持プレート４０は、取付けボルト６５を介して係止体１２の前面に取付けられる。
【００４９】
支持プレートは、図９に示すように両側にガイドプレート７５、７６を設けてもよい。図９に示すガイドプレート５０は、両側に一定の間隔を隔ててガイドプレート７５、７６が設けられている。このガイドプレート７５、７６の間隔は、コ字部材の前面脚部１４が隙間なく嵌り込むように設定されている。このようなガイドプレート５０は、左右方向の位置がしっかりと決まり、さらに左右一対のコ字部材１３を強固に連結する効果もある。
【００５０】
支持プレートずれ防止板５１は、支持プレート４０の高さ方向のずれを防止するための部材であり、取付けボルト６５を介して、支持プレートずれ防止板の上面５６と支持プレートの上面４２、支持プレートずれ防止板の上面５６と支持プレートの下面４３とが隙間なく接するように、係止体１２の前面に左右一対のコ字部材１３に掛け渡すように取付けられている。
【００５１】
支持プレートずれ防止板５１は、矩形形状の上両端部が円弧状に形成された肉厚の部材からなる。上両端部の円弧状部５６は、導入溝部６０に取付けボルト６５を嵌め込んだ状態で取付けボルト６５を起点に支持プレートずれ防止板５１を回転可能に形成されている（図８（Ｃ）参照）。
【００５２】
支持プレートずれ防止板５１の長さは、係止体１２の幅と同じであり、支持プレートずれ防止板５１の厚さは、支持プレート４０の厚さと同一である。支持プレートずれ防止板５１には、大きな荷重が加わらないので、プラスチックを用いて形成することができる。
【００５３】
支持プレートずれ防止板５１の前面下部には、持ち手６４が設けられている。さらに支持プレート防止板５１は、両サイドの下部に、係止体１２の前面に固定するための取付けボルト６５が係止する係止孔５７、５８を有する。
【００５４】
係止孔５７は、取付けボルト６５に取付けられたスリーブ６６の外径と同じ大きさの孔部５９と当該孔部５９に連通するＬ字状の導入溝部６０とからなる。導入溝部６０の幅は、スリーブ６６の外径よりも僅かに大きく、端部が支持プレート防止板５１の下面５２に臨む。導入溝部６０は、取付けボルト６５を孔部５９にスムーズに導けるように形成されている。導入溝部６０の横方向の長さは、係止孔５８の導入溝部６１よりも長く設定されており、支持プレートずれ防止板５１を一杯、右側に寄せると支持プレートずれ防止板５１の左端が、取付けボルト６５から外れる（図８（Ｂ）参照）。
【００５５】
導入溝部６０と孔部５９との境界には、小さな突起部６２が設けられており、僅かに狭くなっている。突起部６２を乗り越えるように、取付けボルト６５に対して少し力を加えて支持プレートずれ防止板５１を押込むと、支持プレートずれ防止板５１は、取付けボルト６５にしっかりと係止する。
【００５６】
係止孔５８は、取付けボルト６５に取付けられたスリーブ６６の外径と同じ大きさの孔部５９と当該孔部５９に連通する直線状の導入溝部６１とからなる。導入溝部６１の幅は、スリーブ６６の外径よりも僅かに大きく、端部が支持プレート防止板の側面５３に臨む。導入溝部６１と孔部５９との境界には、小さな突起部６３が設けられており、僅かに狭くなっている。突起部６３を乗り越えるように、取付けボルト６５に対して少し力を加えて支持プレートずれ防止板５１を押込むと、支持プレートずれ防止板５１は、取付けボルト６５にしっかりと係止する。
【００５７】
取付けボルト６５は、支持プレート４０及び支持プレートずれ防止板５１を係止体１２の前面に固定するためのものであり、スリーブ６６、ボルト６７、ワッシャ７０、及びナット７１を有し、係止体１２の前面の左右にそれぞれ３本、計６本取付けられている。
【００５８】
スリーブ６６は、支持プレート４０及び支持プレートずれ防止板５１の厚さよりもほんの僅か長い薄肉の金属製の円筒体である。スリーブ６６の長さよりボルトの頭部６８の位置が決められる。このためボルトの頭部６８の底部と支持プレートの前面４１及び支持プレートずれ防止板の前面５４との間にはほんの僅かな隙間がある。
【００５９】
ボルト６７は、フランジ付きの六角穴付きボルトであり、スリーブ６６に挿通され、コ字部材の前側脚部１４に設けられた貫通孔２０に差し込まれ、凹部２１に埋め込まれたナット７１に螺合する。ボルト６７とナット７１とを螺合させると、ボルト６７とナット７１とが互いに引き合い、スリーブ６６の端部がコ字部材の前側脚部１４の前面に係止し、またワッシャ７０が凹部２１の壁面に係止し固定される。
【００６０】
係止体１２の前面の取付けボルト６５は、左右同じ高さに取付けられ、片側３本の取付けボルト６５は、等間隔で取付けられている。取付けボルト６５のうち真ん中の取付けボルト６５は、支持プレートの長穴挿通孔４５に嵌め込まれ、上挿通孔４６、下挿通孔４８のいずれか一方と、支持プレートずれ防止板の係止孔５７、５８とに上下の取付けボルト６５が取り付けられる。
【００６１】
前記の通りボルトの頭部６８の底部と支持プレートの前面４１及び支持プレートずれ防止板の前面５４との間にはほんの僅かな隙間がある。さらにスリーブ６６と長穴挿通孔４５、上挿通孔４６、下挿通孔４８との間にもほんの僅かな隙間があるので取付けボルト６５を取付けた後であって、支持プレート４０は、隙間分だけ動くことができる。
【００６２】
一方、支持プレートずれ防止板５１は、係止孔５７、５８とスリーブ６６の外径とが同じ大きさであるので、取付けボルト６５を取付けた後は上下方向に動くことはできない。支持プレートずれ防止板５１が取付けられた後は、支持プレート４０と支持プレートずれ防止板５１とは隙間なく接するので、支持プレート４０は上下方向に動くことはできない。
【００６３】
以上のように取付けボルト６５は、支持プレート４０及び支持プレートずれ防止板５１を係止体１２を完全に固定することなく、上下左右及び前後の移動を規制する。このため取付けボルト６５を取付けた状態で、支持プレートずれ防止板５１を係止体１２に対して着脱可能であり、支持プレートずれ防止板５１を取外せば、取付けボルト６５を取付けた状態で支持プレート４０を上下方向にスライドさせることができる。
【００６４】
絶縁棒支持具１の使用方法を説明する。絶縁棒支持具１を高所作業車のバケット１０１に取付けるときは、図１、図２に示すように支持プレートずれ防止板５１を上方に支持プレート４０を下方にセットし使用する。これによりパッド３２の位置が下がり、パッド３２をバケットの鍔部１０２ではない周壁面１０３に押付けることができる。この使用方法は、従来の絶縁棒支持具２０１と同じである。
【００６５】
絶縁棒支持具１を腕金１５１に取付けるときは、図３、図４に示すように支持プレートずれ防止板５１を下方に支持プレート４０を上方にセットし使用する。これによりパッド３２の位置が上がり、パッド３２を腕金１５１にしっかりと押付けることができ、堅固に固定される。
【００６６】
支持プレート４０の位置の変更要領を、図８を用いて説明する。支持プレートずれ防止板５１が下方に、支持プレート４０が上方にセットされた状態（図８（Ａ））から、支持プレート４０を下方に支持プレートずれ防止板５１が上方に変更（図８（Ｆ））する場合を例とする。
【００６７】
支持プレートずれ防止板５１を右側に一杯移動させる（図８（Ｂ））。前記通り支持プレートずれ防止板５１は、取付けボルト６５により完全に固定されていないので、取付けボルト６５を外すことなく支持プレートずれ防止板５１を右側に移動させることができる。
【００６８】
支持プレートずれ防止板５１を右側に一杯移動させると、支持プレートずれ防止板５１の左端５３が、取付けボルト６５から外れる。この状態で支持プレートずれ防止板５１の左端５３を下方に下げ、右側の取付けボルト６５を起点に支持プレートずれ防止板５１を回転（図８（Ｃ））させることで支持プレートずれ防止板５１を取り外すことができる（図８（Ｄ））。
【００６９】
支持プレートずれ防止板５１を取り外した状態で、支持プレート４０を下方に押すと簡単に降下する。これは、支持プレートずれ防止板５１と同様に、取付けボルトの頭部６８が支持プレート４０の前面４１に接しておらず、支持プレート４０は、取付けボルト６５により完全に固定されていないことによる。
【００７０】
支持プレート４０が一杯に降下した後（図８（Ｅ））に、支持プレートずれ防止板５１を支持プレート４０の上方に取付ければよい（図８（Ｆ））。支持プレートずれ防止板５１の取付け要領は、取り外しと逆の順番で行えばよい。
【００７１】
以上からなる絶縁棒支持具１は、高所作業車のバケット１０１以外での使用が可能となることから、装柱している腕金１５１に取り付けて使用することで、バケット１０１の移動に制約がなくなる。高所作業車を使用できない箇所での作業時にも使用することができるので、柱上作業者による電線等把持時の労力軽減にもなる。また電柱に仮腕金を取付けて使用することで、柱上での作業範囲が増え、作業者の疲労軽減にもなる。
【００７２】
以上のように絶縁棒支持具１は、被取付具の形態に応じてパッドの位置を変更することができるので、被取付具に対して堅固に固定することができる。またパッドの位置の変更も、パッドを進退自在に支持する支持プレートとそのずれを防止する支持プレートずれ防止板との配置を変更することで、簡単にかつ確実にパッドの位置を変更することができる。さらに支持プレート及び支持プレートずれ防止板との配置を変更する際に、取付けねじを取外すことなく変更が可能なため作業性に優れ、使い勝手が非常によい。
【００７３】
本発明は上記実施形態に限定されるものではなく、要旨を変更しない範囲で変更して使用することができる。また上記実施形態では、高所作業車のバケット１０１及び電柱に装柱された腕金１５１に取付け可能な絶縁棒支持具１を示したが、被取付具は、バケット及び腕金に限定されるものではなく、機械、器具、工具などに取付け使用することができる。また本発明に係る工具固定具は、絶縁棒支持具に限定されるものではなく、他の工具固定具であってもよい。
【符号の説明】
【００７４】
１  絶縁棒支持具
１１  固定具
１２  係止体
１３  コ字部材
３１  締付具
３２  パッド
３３  スクリュー軸
３５  スクリュー孔
４０  支持プレート
４５  長穴挿通孔
４６  上挿通孔
４８  下挿通孔
５０  支持プレート
５１  支持プレートずれ防止板
５７  係止孔
５８  係止孔
６５  取付けボルト
８０  支持具
８１  取付部
９１  把持部
１０１  高所作業車のバケット
１５１  腕金
【図１】
0005976735.tif 000002
【図２】
0005976735.tif 000003
【図３】
0005976735.tif 000004
【図４】
0005976735.tif 000005
【図５】
0005976735.tif 000006
【図６】
0005976735.tif 000007
【図７】
0005976735.tif 000008
【図８】
0005976735.tif 000009
【図９】
0005976735.tif 000010
【図１０】
0005976735.tif 000011
【図１１】
0005976735.tif 000012
【図１２】
0005976735.tif 000013